(57)【要約】【課題】  埃や煤などの多い環境にある本尊の変質を防止し、容器に収納した状態で現状の本尊の状態を凌駕する荘厳な外観を創出し、崇拝の対象となる本尊安置容器を提供すること。【解決手段】  本尊の大きさから必要最小限に拡大した寸法の本体内部に本尊を軸木の部分だけを使用してこれを保持し、本尊における曼荼羅の部分が視認されるよう透明な材質で構成された窓部を有する部材で本尊を外気から遮断したうえで、本尊の劣化を最小限に防止し、本体外部から着脱可能な装飾板を装着して本尊を荘厳する。【選択図】図１
2010094485.tif 000002
【特許請求の範囲】
【請求項１】
本体（１）の内部に、掛軸型の本尊（２）（以下、単に本尊と記載する）の上部軸木（２−１）、下部軸木（２−２）間に張力をかけながら本尊曼荼羅部（２−３）に皺を形成することなくトレー（３−１）に保持する上部軸木保持部（３−２）、下部軸木保持部（３−３）を有し、本体外部から内部の本尊曼荼羅部分（２−３）が視認されるべき場所（４−２）に、透明な部材で構成された窓部（４−３）を設置した蓋部（４）で底部（３）に保持した本尊（２）を外気と遮断して本尊の変質を防止し、且つ崇拝の対象となることを特徴とする本尊安置容器。
【請求項２】
本尊（２）の外形寸法に対し、縦、横幅、厚み、それぞれに１００ｍｍを加えた寸法を超えない外形寸法の本体（１）を特徴とする請求項１の本尊安置容器。
【請求項３】
蓋４の前面に、本尊曼荼羅部（２−３）が視認されるよう開口部を設けた形状（５−２）を形成する着脱可能な装飾板（５）を装着することを特徴とする請求項１または２記載の本尊安置容器。
【請求項４】
前記、蓋（４）の外面に、布または紙を外面に貼付した着脱可能な装飾板（５）あるいは外面に印刷または塗装した着脱可能な装飾板（５）を装着し、内部に納めた本尊曼荼羅部（２−３）が視認される本尊曼荼羅部視認開口部（５−２）の外周を荘厳することを特徴とする請求項１，２または３記載の本尊安置容器。
【発明の詳細な説明】
【技術分野】
【０００１】  本発明は真正で尊崇な本尊の劣化を防止し、本尊を収納した状態で崇拝の対象とする本尊安置容器に関するものである。
【背景技術】
【０００２】  本尊を安置し崇拝する環境は、ろうそくによる灯明や線香など火炎を使用し、煤やヤニなどが空気中に飛散するため本尊が変色、変質してしまうおそれがある。そこで外気と遮断して本尊を安置し、本尊の変質を防ぐ特許文献１の仏壇が開発されている。この公報に記載される仏壇は装置が大掛かりとなり、コストが上昇し高価になるという欠点がある。【０００３】  あるいは、本尊の劣化を防ぎ仏壇に祀る目的の特許文献２に開示されている仏額は、真正で尊崇な本尊の曼荼羅の部分を直接他の部品と密着させることとなり、信者の本尊に対する畏敬の心情を害するという欠点がある。【０００４】
【特許文献１】特開平０７−３０３５３７
【特許文献２】特開平１０−０４３０３８
【発明の開示】
【発明が解決しようとする課題】
【０００５】  真正で尊崇な本尊の変質を防止し、荘厳にするということが求められることに対し、仏壇で解決する場合には従来使用していた仏壇を廃棄のうえ交換するか、大きく改造しなければならない。また仏壇という特殊な宗教用品は決して安価なものではない。そのため前記の場合、経済的な負担が大きくなるというおそれがある。前記の要求を感じる信者はすでに仏壇や本尊を所持しており、ともに信者にとって貴重な存在であり廃棄や交換は容易ではない。また、現在ある仏額などの容器内に本尊を安置する場合は、真正で尊崇な本尊の曼荼羅部分に他の部材が接触するなどの不敬な取り扱いをしたくないという信者の心情を害するおそれがある。【０００６】  すなわち本発明は、現在所持している仏壇と本尊になんら手を加えることなく前記の問題に鑑み、これらを好適に解決するべく提案されたものであって、本尊に不敬な取り扱いをすることなく本尊の劣化を防止し、現状の本尊の状態を凌駕する荘厳な外観を提供し、現状の仏壇に収納して本尊を保管、崇拝することを目的とする。
【課題を解決するための手段】
【０００７】  本発明はこのような目的を達成するために、次のような手段を講じたものである。
本願の請求項１に係る発明の本尊安置容器は、本体内部に本尊を皺のない状態で固定するため本尊の上下２本の軸木間に張力をかけながら軸木部分を保持する装置を備えるが、この時不敬な扱いとならないよう本尊の軸木の部分だけが他の部材と接するような構造となっている。そして収納した本尊における曼荼羅の部分が本体外部から視認される透明部材で構成された窓部を装備した部材で本尊を外気から遮断する構造に特徴を有する。【０００８】  請求項２に係る発明の本尊安置容器は、本尊を本体に収納した状態で現状の仏壇に収蔵するため、内部の本尊と本尊安置容器本体との寸法差について、必要最小限の寸法増加にとどめた容器にすることが望ましい。【０００９】  請求項３に係る発明は、本体の外部から本尊の曼荼羅部分が視認されるよう開口部を設けた形状の、着脱可能な装飾板を装着し、装飾板表面の劣化時に内部の本尊に触れることなく本体外部から装飾板を交換することが可能であることに特徴を有する。【００１０】  請求項４に係る発明は、前記装飾版の外面に布または紙を貼付、あるいは印刷または塗装し、本尊の曼荼羅部分が視認される窓の外周について、現状の本尊の状態にかかわらずその時点で信者が期待する荘厳な外観を創出し、春夏秋冬の季節変化による装飾の変更や、冠婚葬祭など各祭事における最良の図案へと簡便に装飾板の変更が可能であることに特徴を有する。【００１１】  前記における「その時点で信者が期待する荘厳な外観」とは、刻々と変化する信者の祈りの生命状態に対して、崇拝の対象にもっともふさわしい外観という概念である。
【発明の効果】
【００１２】  本発明に係る本尊安置容器によれば、現状の仏壇と本尊の状態にかかわらず本体内部に収納された本尊の劣化をその時点から最小限に防止するとともに、外部から装飾板を容易に交換することが可能であることにより、時節や装飾の嗜好の変化にともないその時点で信者が期待するところの荘厳な状態を常時創出する。
【発明を実施するための最良の形態】
【００１０】  以下、本発明の一実施形態について図面を参照して説明する。
【実施例】
【００１３】  まず、図１に示される本尊安置容器本体（１）の内部に本尊を収納するが、装飾板（５）、蓋部（４）を取り外した状態から、図５のように本尊上部軸木（２−１）をトレー（３−１）にビス止めあるいは接着または溶着によって接続された上部軸木保持部（３−２）の軸木ストッパー（３−２−１）下部に挿入し、図６のごとく上部軸木断面形状の半円形円弧の中心を軸に回転させながら軸受部（３−２−２）へ密着させる。次に本尊下部軸木（２−２）左右両端を図６のように張力をかけつつ下部軸木保持部へひきよせ、トレー（３−１）にビス止めあるいは接着または溶着によって接続された下部軸木保持部（３−３）に装着する。このとき樹脂製の上部軸木保持部（３−２）は、図４のごとく湾曲したステー部（３−２−３）をもち、樹脂の弾性を利用した構造により、上部と下部の軸木間に常時張力を与え、皺が発生しないよう本尊を保持する。【００１４】  上部軸木保持部（３−２）は、軸木ストッパー（３−２−１）と軸受部（３−２−２）で本尊上部軸木（２−１）の回転と位置を規制する構造により、本尊における上下の軸木間の張力を解除し、装着時とは逆の方向に上部軸木（２−１）を回転させないと上部軸木保持部（３−２）から脱離しない。ゆえに下部軸木保持部（３−３）から本尊下部軸木（２−２）を解放しないかぎり本尊の脱落は発生しない。また本尊上部軸木（２−１）、本尊下部軸木（２−２）以外の部分が他の部材と接触しないので本尊に対して不敬な扱いとならない構成となっている。【００１５】  図８のように底部（３）に本尊を設置したのち、透明アクリルまたは透明ポリカーボネートあるいはガラスによって構成された窓部（４−３）を有する蓋部（４）を嵌合、あるいはビスで底部（３）に接合することにより、本尊が外気と遮断された状態で、本体外部から透明窓本尊曼荼羅部が視認される。【００１６】  外部から本尊が視認されるよう開口部（５−２）を設け、外面に紙、布を貼付した装飾板（５）、または同形状で外面に印刷あるいは塗装を施した装飾板（５）を蓋部（４）に嵌合あるいは粘着剤で装着する。装飾板は本尊が収納された状態で着脱可能な構造であり、容易に交換が簡単である。装飾板が装着された状態で架け紐（３−４）を使用し仏壇内に架け、崇拝の対象とする。
【産業上の利用可能性】
【００１４】重要文化財や国宝などの寺院所有の本尊を崇拝の対象としながら現状の状態を維持するという観点で利用可能性がある。このとき本容器は寺院所有の本尊を採寸し、その本尊の形状に応じた寸法に個別に製作される必要がある。また装飾板は、それぞれの寺院の特色ある図案を施すことにより、信者の信仰心を高揚する効果がある。
【図面の簡単な説明】
【００１５】
【図１】本発明の一実施に係る本体斜視図
【図２】同実施形態に係る本体正面図、側面図
【図３】同実施形態に係る部品構成図
【図４】同実施形態に係る本尊上部軸木保持部周辺の斜視図
【図５】同実施形態に係る本尊上部軸木設置過程を示す図
【図６】同実施形態に係る本尊下部軸木設置過程を示す図
【図７】同実施形態に係る本尊下部軸木設置状態を示す図
【図８】同実施形態に係る蓋、装飾板装着の部品構成図
【図９】同実施形態に係る本体垂直断面図  （図２におけるＡ−Ａ’）
【図１０】同実施形態に係る本体垂直断面図  （図２におけるＢ−Ｂ’）
【符号の説明】
【００１６】１・・・本体
２・・・本尊
２−１・・・本尊上部軸木
２−２・・・本尊下部軸木
２−３・・・本尊曼荼羅部
３・・・底部
３−１・・・トレー
３−２・・・上部軸木保持部
３−２−１・・・軸木ストッパー
３−２−２・・・軸受部
３−３・・・下部軸木保持部
３−４・・・架け紐
４・・・蓋部
４−１・・・カバープレート
４−２・・・本尊曼荼羅部視認対応部
４−３・・・本尊視認透明窓部
５・・・装飾板
５−１・・・装飾板部材
５−２・・・本尊曼荼羅部視認開口部
【図１】
2010094485.tif 000003
【図２】
2010094485.tif 000004
【図３】
2010094485.tif 000005
【図４】
2010094485.tif 000006
【図５】
2010094485.tif 000007
【図６】
2010094485.tif 000008
【図７】
2010094485.tif 000009
【図８】
2010094485.tif 000010
【図９】
2010094485.tif 000011
【図１０】
2010094485.tif 000012
【手続補正書】
【提出日】平成20年12月1日(2008.12.1)
【手続補正１】
【補正対象書類名】図面
【補正対象項目名】図１０
【補正方法】変更
【補正の内容】
【図１０】
2010094485.tif 000013